(57)【要約】【課題】より広い角度範囲で検査物の反射光、又は蛍光を読み取ることにより、当該検査物に担持された光学的情報を正確に読み取ることができる光源ユニットを提供する。【解決手段】複数の側面を有する透光性板状体よりなり、この透光性板状体における一の側面に形成された一方向に伸びる受光面と、当該透光性板状体における他の側面に形成された出光面とを有する導光体、およびこの導光体における受光面が伸びる一方向と同方向に並ぶよう配置された複数の発光素子を備えてなる光源ユニットであって、前記導光体における前記受光面は、前記透光性板状体の表面に垂直な前記一方向に伸びる基準面に対して傾斜した平面によって構成されていることを特徴とする。【選択図】図４
2014224702.tif 000002
【特許請求の範囲】
【請求項１】
複数の側面を有する透光性板状体よりなり、この透光性板状体における一の側面に形成された一方向に伸びる受光面と、当該透光性板状体における他の側面に形成された出光面とを有する導光体、および
この導光体における受光面が伸びる一方向と同方向に並ぶよう配置された複数の発光素子
を備えてなる光源ユニットであって、
前記導光体における前記受光面は、前記透光性板状体の表面に垂直な前記一方向に伸びる基準面に対して傾斜した平面によって構成されていることを特徴とする光源ユニット。    
【請求項２】
前記導光体における前記出光面は、前記一方向に伸び、当該出光面は、前記基準面に対して傾斜した平面によって構成されており、当該出光面を構成する平面の傾斜方向と、前記受光面を構成する平面の傾斜方向とが、前記基準面に対して対称であることを特徴とする請求項１に記載の光源ユニット。
【請求項３】
前記導光体は、前記基準面に対する前記受光面を構成する平面の傾斜角度が０．５〜４．５°のものであることを特徴とする請求項１または請求項２に記載の光源ユニット。
【発明の詳細な説明】
【技術分野】
【０００１】
本発明は、光源ユニットに関し、更に詳しくは被検査物に光を照射して検査・識別するための光検出装置に好適に用いることができる光源ユニットに関するものである。
【背景技術】
【０００２】
従来、液晶基板等の被検査物の表面の傷を検査するために光を照射して反射光により傷を検査する光検出装置や、紙などの薄い被検査物に光を照射して、当該被検査物の表面に保持された光学的情報を読み取る光検出装置が知られている。かかる光検出装置においては、発光素子および受光素子を有する光源ユニットが搭載されており、光源ユニットにおける発光素子から特定波長の光を被検査物に照射しながら、当該被検査物を当該光源ユニットに対して相対的に移動させる。次いで、被検査物からの反射光または蛍光を、光源ユニットにおける受光素子によって受光することにより、被検査物に担持された光学的情報が読み取られる。そして、読み取られた光学的情報によって、被検査物の傷を検出したり、被検査物の真偽が判定されたりする。
【０００３】
図８は、従来の光源ユニットが搭載された光検出装置の一例における構成を示す説明図、図９は、図８に示す光検出装置における光源ユニットの構成を示す説明図である。このような光検出装置は、例えば特許文献１に開示されている。
この光検出装置においては、紙葉類よりなる被検査物Ｗが挿入される挿入口７１および当該被検査物Ｗが排出される排出口７２を有する筐体７０が設けられている。この筐体７０内には、挿入口７１に挿入された被検査物Ｗを水平な搬送路７６に沿って搬送して排出口７２から排出する搬送機構７５が設けられている。また、筐体７０における挿入口７１の近傍には、当該挿入口７１に被検査物Ｗが挿入されたか否かを検出するセンサ７３が設けられている。
【０００４】
筐体７０内における搬送路７６の途中位置には、搬送機構７５によって搬送路７６に沿って搬送される被検査物Ｗに対して光を照射することによって、当該被検査物Ｗに担持された光学情報を読み取る光源ユニット８０が設けられている。
この光源ユニット８０においては、搬送路７６の上方位置に２つの発光素子８１，８２が配置され、搬送路７６の下方位置には、搬送路７６と交差する方向に伸びる導光体８５が配置されている。この導光体８５の上面は、被検査物Ｗからの光を受光する受光面８６とされている。この受光面８６における発光素子８１，８２に対向する位置には、上方に突出する凸レンズよりなる集光部８６ａ，８６ｂが一体に形成されている。導光体８５の下面には、集光部８６ａ，８６ｂの各々に対向する位置に、 受光面８６に対して傾斜する傾斜面が形成されている。この傾斜面上に反射膜が設けられることによって、受光面８６に受光された光を、導光体８５が伸びる方向に反射する光反射面８７，８８が形成されている。また、導光体８５の一端面は、光反射面８７，８８からの光を出光する出光面８９とされ、この出光面８９に対向するよう受光素子９０が配置されている。
【０００５】
上記の光検出装置においては、搬送機構７５によって筐体７０内に搬送された被検査物Ｗに対して、発光素子８１，８２からの光が照射される。そして、被検査物Ｗを透過した光は、集光部８６ａ，８６ｂを介して、導光体８５の受光面８６に受光される。導光体８５の受光面８６に受光された光は、光反射面８７に反射された後、出光面８９から出光される。導光体８５の出光面８９から出光された光は、受光素子９０に受光される。
【先行技術文献】
【特許文献】
【０００６】
【特許文献１】特開２００１−２８３２８１号公報
【発明の概要】
【発明が解決しようとする課題】
【０００７】
しかしながら、上記の光検出装置においては、以下のような問題がある。
上記の光源ユニット８０においては、導光体８５の受光面８６に被検査物Ｗを介して対向して配置された発光素子８１、８２から、当該受光面８６に対して垂直な方向から光が被検査物Ｗに照射され、当該被検査物Ｗを透過した光が受光面８６に入射される。
ところで、このように透過光を検出する方式では、良好な光透過性を有しない不透明な被検査物に対しては、好適に検査を行うことができない。そのような被検査物に対しては、発光素子、導光体および受光素子をともに搬送路７６の上方位置に配置して、被検査物に光を照射してその反射光または蛍光を検出することが必要である。
この場合には、被検査物からの反射光および蛍光は様々な角度に向けて生じることから、受光素子において所望の受光を行うことができないという事態が生じた。その理由は、ある程度の面積の受光面を有する受光素子の受光感度は、一般的に中心部と周辺部とで異なる入射角依存性を有するためである。
すなわち、透過光を検出する方式では、発光素子が導光体の受光面に対して直上若しくは直下に対向して配置されていることにより、受光面に光が垂直に入射するために角度範囲は問題とならなかった。
しかしながら、反射光または蛍光を検出する方式では、受光面および受光素子に対して垂直に入射してくる被検査物の中心付近の光は検出しやすいものの、周辺部より入射してくる光を検出しにくいという事態が生じた。その結果、被検査物に光を照射しても検出可能な範囲が狭くなり、被検査物に担持された光学的情報を正確に読み取ることが困難となる。
【０００８】
本発明は、以上のような事情に基づいてなされたものであって、その目的は、より広い角度範囲で検査物の反射光または蛍光を読み取ることにより、当該検査物に担持された光学的情報を正確に読み取ることができる光源ユニットを提供することにある。
【課題を解決するための手段】
【０００９】
本発明の光源ユニットは、複数の側面を有する透光性板状体よりなり、この透光性板状体における一の側面に形成された一方向に伸びる受光面と、当該透光性板状体における他の側面に形成された出光面とを有する導光体、および
この導光体における受光面が伸びる一方向と同方向に並ぶよう配置された複数の発光素子
を備えてなる光源ユニットであって、
前記導光体における前記受光面は、前記透光性板状体の表面に垂直な前記一方向に伸びる基準面に対して傾斜した平面によって構成されていることを特徴とする。
【００１０】
本発明の光源ユニットにおいては、前記導光体における前記出光面は、前記一方向に伸び、当該出光面は、前記基準面に対して傾斜した平面によって構成されており、当該出光面を構成する平面の傾斜方向と、前記受光面を構成する平面の傾斜方向とが、前記基準面に対して対称であることが好ましい。
また、前記導光体は、前記基準面に対する前記受光面を構成する平面の傾斜角度が０．５〜４．５°のものであることが好ましい。
【発明の効果】
【００１１】
本発明の光源ユニットによれば、導光体における受光面が、当該導光体を構成する透光性板状体の表面に垂直な基準面に対して傾斜した平面によって構成されているため、発光素子によって被検査物に光を照射したときに、光照射領域の周辺部から導光体に入射する光は、受光面において屈折し、その後、導光体の内部で反射を繰り返し、出光面を経て受光素子まで到達するまでに、所望の角度範囲に近づけることができる。
その結果、発光素子によって光を照射された光照射領域より発せられる反射光または蛍光のうち、周辺部より発せられるものは、受光素子の検出可能な角度範囲に適合しやすくなり、受光素子によって適切に検出することができる。
従って、本発明の光源装置によれば、光検出装置に用いられた場合には、より広い角度範囲で被検査物の反射光または蛍光を読み取ることにより、当該被検査物に担持された光学的情報を正確に読み取ることができる。
【図面の簡単な説明】
【００１２】
【図１】本発明の光源ユニットが搭載された光検出装置の一例における構成を示す説明用断面図である。
【図２】本発明の光源ユニットにおける筐体内部の構成を拡大して示す説明図である。
【図３】図１に示す光源ユニットにおける導光体の平面図である。
【図４】（ａ）は、図３に示す導光体を受光部側から見た側面図、（ｂ）は、図３に示す導光体を出光部側から見た側面図である。
【図５】第１の光反射面を構成する微小プリズム群の構成を示す説明図である。
【図６】本発明の光源ユニットに用いられる導光体の変形例を示す説明図である。
【図７】実施例２および比較例１に係る光源ユニットによる光の光束分布曲線図である。
【図８】従来の光源ユニットが搭載された光検出装置の一例における構成を示す説明図である。
【図９】図８に示す光検出装置における光源ユニットの構成を示す説明図である。
【発明を実施するための形態】
【００１３】
以下、本発明の光学ユニットの実施の形態について説明する。
図１は、本発明の光源ユニットが搭載された光検出装置の一例における構成を示す説明用断面図である。この光検出装置は、被検査物Ｗに光を照射して、当該被検査物Ｗの表面に保持された光学的情報を読み取るものであって、被検査物Ｗに光を照射する光源ユニット１０を有する。この光源ユニット１０の下方には、被検査物Ｗを水平方向に搬送する搬送機構４０が設けられている。
【００１４】
光源ユニット１０は、下面に開口が形成された矩形の箱型の筐体１１を有する。この筐体１１の開口には、光透過窓１２が設けられている。筐体１１内には、複数の側面を有する透光性板状体よりなる導光体２０が設けられている。
【００１５】
図３は、図１に示す光源ユニットにおける導光体の平面図、図４（ａ）は、図３に示す導光体を受光部側から見た側面を拡大して示す説明図、図４（ｂ）は、図３に示す導光体を出光部側から見た側面を拡大して示す説明図である。この導光体２０は、全体が透光性板状体によって形成され、透光性板状体における一の側面に一方向に伸びる受光面２２が形成されていると共に、当該透光性板状体における他の側面に出光面２７が形成されている。具体的に説明すると、図３に示す導光体２０は、略台形の板状の受光部２１と、略Ｌ字型の板状の出光部２６とにより構成されている。受光部２１は、その一側面（図３において下面）に、一方向に伸びる平面状の受光面２２を有する。この受光部２１における受光面２２が伸びる一方向の一端（図３において右端）には、当該一方向と異なる他方向に屈曲して伸びる出光部２６が形成されている。図３に示す例では、出光部２６は、受光部２１の一端に連結された、受光面２２と同方向に伸びる連結部分２６ａと、受光面２２に対して垂直でかつ後述する第１の光反射面２３側の方向（図３において上方向）に伸びる本体部分２６ｂとにより構成されている。この出光部２６は、その本体部分２６ｂの端面（図において上面）に、受光面２２と同方向（一方向）に伸びる出光面２７を有する。
【００１６】
受光部２１における受光面２２は、図４（ａ）に拡大して示すように、導光体２０を構成する透光性板状体の表面２０ａに垂直でかつ当該受光面２２と同方向（一方向）に伸びる基準面Ｓに対して傾斜した一つの平面によって構成されている。
基準面Ｓに対する受光面２２を構成する平面の傾斜角度θは０．５〜４．５°であることが好ましい。この傾斜角度θが０．５°未満である場合には、後述する受光素子３０で検出することができる光の角度、面積範囲が狭くなる。一方、この傾斜角度θが４．５°を超える場合には、傾斜角度が増えるにつれて、受光素子３０で検出することができる光の検出範囲が広がるが、検出できる光量が低下する傾向となるので、この範囲については適宜判断して採用することになる。
【００１７】
受光部２１は、受光面２２に対向する面（図３において上面）に、受光面２２に受光された光を出光部２６に向かって反射する第１の光反射面２３を有する。この第１の光反射面２３は、出光部２６に向かうに従って受光面２２との距離が大きくなるよう形成されている。
【００１８】
この例における第１の光反射面２３は、図５に示すように、受光面２２が伸びる一方向に垂直な方向に伸びる多数の微小プリズム２４ａが、出光部２６に向かって配列されてなる微小プリズム群２４によって構成されている。具体的に説明すると、微小プリズム群２４は、導光体２０を構成する透光性板状体の表面２０ａにおいて、受光面２２に対して平行な端縁を有する平行部２４ｂと受光面２２に対して傾斜する端縁を有する傾斜部２４ｃとが、出光部２６に向かって交互に形成された、出光部２６に向かうに従って受光面２２との距離が大きくなる階段状のものであって、一の平行部２４ｂとこれに隣接する一の傾斜部２４ｃとによって一の微小プリズム２４ａが構成されている。
図示の例では、第１の光反射面２３は、導光体２０を構成する透光性板状体の表面２０ａに垂直な方向に対して傾斜した状態で形成されている。具体的には、第１の光反射面２３は、受光部２１における受光面２２が伸びる一方向に垂直な断面において、基準面Ｓに対して傾斜した状態で形成されている。この第１の光反射面２３の傾斜方向は、基準面Ｓに対して受光面２２の傾斜方向と対称である。
【００１９】
微小プリズム２４ａにおける平行部２４ｂと傾斜部２４ｃとのなす角は、例えば４５°である。
また、隣接する微小プリズム２４ａにおける各平行部２４ｂの間の段差Ｈは、例えば０．０５〜０．５ｍｍである。
また、微小プリズム２４ａのピッチＰは、例えば０．１〜３．０ｍｍである。
【００２０】
出光部２６における出光面２７は、図４（ｂ）に拡大して示すように、基準面Ｓに対して傾斜した一つの平面によって構成されている。この出光面２７を構成する平面の傾斜方向は、基準面Ｓに対して受光面２２を構成する平面の傾斜方向と対称である。
このような出光面２７を形成することにより、出光面２７でも、後述する受光面２２と同じ効果が生じ、より広い面積、角度範囲から被検査物の反射光、蛍光を読み取ることができる。
【００２１】
出光部２６は、出光面２７に対向する箇所に、第１の光反射面２３によって反射した光を出光面２７に向かって反射する第２の光反射面２８を有する。この第２の光反射面２８は、受光部２１に向かうに従って出光面２７との距離が大きくなるよう形成されている。この第２の光反射面２８における外面には、銀、アルミニウム等の金属膜、誘電体多層膜などよりなる光反射膜が形成されていてもよい。また、図示の例の第２の光反射面２８は、導光体２０を構成する透光性板状体の表面２０ａに垂直な方向に対して傾斜した状態で形成されている。
【００２２】
導光体２０を構成する材料としては、導光すべき光を透過し得るものであれば特に限定されず、例えばアクリル樹脂等の透光性樹脂や、ガラス材料などを用いることができる。  また、導光体２０は、受光部２１および出光部２６が連続して一体に形成されてなるものであっても、それぞれ別体の受光部２１および出光部２６が接合されてなるものであってもよい。
【００２３】
導光体２０の具体的な寸法の一例を示すと、導光体２０を構成する透光性板状体の厚みが４ｍｍ、受光部２１の受光面２２の長さが１５０ｍｍ、受光部２１と出光部２６との境界面（破線で示す）の寸法が２２ｍｍ×４ｍｍ、出光部２６における連結部分２６ａの長さＬ１が５０ｍｍ、出光部２６における連結部分２６ａからの本体部分２６ｂの突出長さＬ２が４０ｍｍ、出光部２６における出光面２７の長さが２２ｍｍである。
【００２４】
そして、導光体２０は、受光面２２が被検査物Ｗの搬送方向（図２において紙面に垂直な方向）に対して垂直な一方向に沿って伸び、かつ、基準面Ｓが被検査物Ｗの光照射面に平行となるよう配置されている。導光体２０の受光面２２から被検査物Ｗまでの離間距離は、例えば１５〜２０ｍｍである。
【００２５】
また、筐体１１内には、それぞれ被検査物Ｗに光を照射する複数（例えば１５個）の発光素子１５が、導光体２０に隣接して当該導光体２０の受光面２２が伸びる一方向に沿って一列に並ぶよう配置されている。
発光素子１５としては、ＬＥＤ素子を用いることができ、目的および用途に応じて、可視光線を放射するもの、紫外線を放射するもの、赤外線を放射するものを選択することができる。
発光素子１５の形態は特に限定されず、表面実装型若しくはパッケージ型のＬＥＤ素子、ＬＥＤチップ、レンズ一体型のＬＥＤ素子、砲弾型のＬＥＤ素子などであってもよい。この例における発光素子１５は、表面実装型の矩形のＬＥＤ素子であり、その平面の寸法は、例えば７ｍｍ×７ｍｍである。
発光素子１５の配置ピッチは、例えば１０ｍｍである。
【００２６】
発光素子１５の各々の発光面に対向する位置には、球面レンズ１６が当該発光素子１５に対応して設けられている。この球面レンズ１６の各々は、一面が平坦面で他面が凸面であり、発光素子１５側の面が平坦面で、被検査物Ｗの光照射面側の面が凸面となるよう配置されている。この球面レンズ１６の径は、例えば５ｍｍである。また、発光素子１５と球面レンズ１６との離間距離は、０．３ｍｍ以下が好ましく、より好ましくは０．１ｍｍ以下である。
【００２７】
また、筐体１１内には、導光体２０の出光面２７から出光した光を検出する受光素子３０が、当該出光面２７に対向するようされている。この受光素子３０としては、被検査物Ｗからの光の波長域に感度を有するものであれば、特に限定されず、種々のものを用いることができる。
【００２８】
図示の例では、発光素子１５と被検査物Ｗの光照射面との間の位置に、２つの反射鏡３５が、導光体２０の基準面Ｓの法線に対して当該導光体２０の受光面２２に向くよう傾斜した状態で互いに対向するよう配置されている。基準面Ｓの法線に対する反射鏡３５の傾斜角度は、例えば１３〜２０°である。
【００２９】
搬送機構４０は、被検査物Ｗが保持される搬送ベルト４１と、この搬送ベルト４１を水平方向に移動させる搬送ローラ４２とにより構成されている。
【００３０】
上記の光検出装置においては、搬送機構４０によって、被検査物Ｗが搬送されて光源ユニット１０の下方を通過する。この光源ユニット１０においては、発光素子１５からの光が、球面レンズ１６および光透過窓１２を介して被検査物Ｗの表面に照射される。これにより、被検査物Ｗの表面には、発光素子１５が並ぶ一方向に伸びる長尺な矩形の光照射領域Ｓが形成される。そして、被検査物Ｗにおける光照射領域からの反射光または蛍光が、光透過窓１２を介して、導光体２０の受光面２２に受光される。導光体２０の受光面２２に受光された光は、第１の光反射面２３によって出光部２６に向かって反射されることにより、当該受光部２１内において受光面２２が伸びる一方向に沿って導光される。この導光された光は、出光部２６内に進入し、この出光部２６内において、第２の光反射面２８によって反射されることにより、出光面２７に向かって導光され、当該出光面２７から出光される。出光面２７から出光された光は、受光素子３０に入射される。
【００３１】
このような光源ユニット１０によれば、導光体２０における受光面２２が、当該導光体２０を構成する透光性板状体の表面２０ａに垂直な基準面Ｓに対して傾斜した平面によって構成されている。そのため、被検査物Ｗにおける光照射領域の周辺部から導光体２０に入射する光が受光面２２において屈折し、その後導光体２０の内部で反射を繰り返し、出光面２７を経て受光素子３０まで到達するまでに、所望の角度範囲に近づけることができる。
その結果、発光素子１５によって光を照射された光照射領域より発せられる反射光または蛍光のうち、周辺部より発せられるものは、受光素子の検出可能な角度範囲に適合しやすくなり、受光素子によって適切に検出することができる。
従って、本発明の光源ユニット１０によれば、受光素子３０は、より広い角度範囲で検査物の反射光または蛍光を検出することができ、当該被検査物Ｗに担持された光学的情報を正確に読み取ることができる。
【００３２】
以上、本発明の実施の形態について説明したが、本発明においては、上記の実施の形態に限定されず、以下のような種々の変更を加えることが可能である。
（１）導光体２０における出光面２７は、基準面Ｓに対して傾斜した平面によって構成されていることは必須ではない。
（２）導光体２０における受光面２２は、基準面Ｓに対して傾斜した平面によって構成されていれば、その傾斜方向は図２に示すものに限定されない。例えば図６（ａ）に示すように、受光面２２および出光面２７の各々の傾斜方向が、図２に示す導光体２０と対称な方向のものであってもよい。
（３）導光体２０における受光面２２は、例えば図６（ｂ）に示すように、基準面Ｓに対して互いに異なる方向例えば対称な方向に傾斜した２つの平面２２ａ，２２ｂによって構成されていてもよい。また、出光面２７は、基準面Ｓに対して互いに異なる方向例えば対称な方向に傾斜した２つの平面２７ａ，２７ｂによって構成されていてもよい。
（４）導光体２０を構成する透光性板状体は、一の側面に形成された一方向に伸びる受光面２２と、他の側面に形成された出光面２７とを有するものであれば、図１に示す形状のものに限定されない。例えば図６（ｃ）に示すように、導光体２０は、矩形の透光性板状体よりなり、一の側面に形成された一方向に伸びる受光面２２と、当該一の側面に対向する他の側面に形成された出光面２７とを有するものであってもよい。
（５）本発明の光源ユニット１０は、例えば液晶表示装置用の透光性基板に光を照射して、当該透光性基板の表面に存在する異物やキズを検出する光検出装置や、被検査物に光を照射して、当該検査物の表面に保持された光学的情報を読み取る光検出装置に利用することができる。このような光検出装置においては、透光性基板に、その表面に対して傾斜した方向から光を照射すると、当該透光性基板の表面に異物やキズが存在するときには、当該異物やキズによって光が拡散され、この拡散光の一部が導光体２０を介して受光素子３０に受光される。
【実施例】
【００３３】
以下、本発明の光源ユニットの具体的な実施例について説明するが、これらの実施例に限定されるものではない。
【００３４】
〈実施例１〜６〉
図１〜図５に示す構成に従い、下記の仕様の光源ユニットを作製した。
（１）導光体
透光性板状体の材質：アクリル樹脂
透光性板状体の厚み：４ｍｍ
受光面：基準面に対して傾斜した一の平面によって構成されたもの。
基準面に対する受光面を構成する平面の傾斜角度θ：下記表１に示す通り（但し、 受光部側から見て時計回りの方向に傾斜した場合を＋、反時計回りの方向に傾斜した場合を−として示す。）。
受光面の長さ：１５０ｍｍ
受光部と出光部との境界面の寸法：２２ｍｍ×４ｍｍ
出光部における連結部分の長さＬ１：５０ｍｍ
出光部における連結部分からの本体部分の突出長さＬ２：４０ｍｍ
出光面：基準面に対して傾斜した一の平面によって構成されたもの（但し、出光面を構成する平面の傾斜方向は、基準面に対して受光面を構成する平面の傾斜方向と対称である。）。
出光面の長さ：２２ｍｍ
微小プリズム群における微小プリズムの数：１６８個
プリズム配置ピッチ：１．０ｍｍ
プリズム段差：０．１ｍｍ
微小プリズムにおける平行部と傾斜部とのなす角：４５°
第２の光反射面の長さ：２８．３ｍｍ
出光面に対する第２の光反射面の傾斜角度：４５°
【００３５】
（２）発光素子
種類：発光波長が３９２ｎｍのＬＥＤ素子
発光量：５００ｍＷ
数：１５個
配置ピッチ：１０ｍｍ
【００３６】
（３）球面レンズ
Ｒ３，有効径：５ｍｍ
発光素子との離間距離：０．１ｍｍ
【００３７】
〈実施例７〜９〉
導光体における受光面を、基準面に対して傾斜した２つの平面によって構成し、出光面を、基準面に対して傾斜した２つの平面によって構成した（図６（ｂ）参照）こと以外は、実施例１と同様の構成の光源装置を作製した。基準面に対する受光面を構成する２つの平面の各々の傾斜角度θを下記表１に示す。
【００３８】
〈比較例１〉
導光体における受光面および出光面を、基準面に対して平行な平面（基準面に対する受光面および出光面の各々を構成する平面の傾斜角度が０°）によって構成したこと以外は、実施例１と同様の構成の光源装置を作製した。
【００３９】
［評価］
実施例１〜９および比較例１に係る光源ユニットの各々を点灯させ、被検査物上に６ｍｍ×１０ｍｍの光照射領域を形成した。この光照射領域からの光を導光体における受光面に受光して出光面から出光させた。導光体における出光面から出光された光について、当該導光体を構成する透光性板状体の厚み方向における光束分布を、受光素子によって測定し、受光素子に受光された光の光量および光束分布曲線の半値幅を求めた。
比較例１に係る光源ユニットによる光量および光束分布曲線の半値幅の値を１００（％）として、実施例１〜９に係る光源ユニットによる光量および光束分布曲線の半値幅の相対値（％）を算出した。結果を下記表１に示す。
また、実施例２および比較例１に係る光源ユニットによる光の光束分布曲線図を図７に示す。この図において、縦軸は、受光素子の受光軸（中心軸）における光束の値を１００％としたときの光束の相対値（％）を示し、横軸は、被検査物上の光照射領域における受光素子の受光軸からの距離を示す。
【００４０】
【表１】
2014224702.tif 000003
【００４１】
表１の結果から明らかなように、実施例１〜９に係る光源ユニットは、導光体の出光面から出光された光は、光束分布曲線の半値幅が大きいものであることが理解される。従って、実施例１〜９に係る光源ユニットによれば、受光素子の検出可能な角度範囲に適合しやすくなり、光照射領域から発せられた光を広い範囲で受光素子によって適切に検出することができる。
【符号の説明】
【００４２】
１０  光源ユニット
１１  筐体
１２  光透過窓
１５  発光素子
１６  球面レンズ
２０  導光体
２０ａ  表面
２１  受光部
２２  受光面
２２ａ，２２ｂ  平面
２３  第１の光反射面
２４  微小プリズム群
２４ａ  微小プリズム
２４ｂ  平行部
２４ｃ  傾斜部
２６  出光部
２６ａ  連結部分
２６ｂ  本体部分
２７  出光面
２７ａ，２７ｂ  平面
２８  第２の光反射面
３０  受光素子
３５  反射鏡
４０  搬送機構
４１  搬送ベルト
４２  搬送ローラ
７０  筐体
７１  挿入口
７２  排出口
７３  センサ
７５  搬送機構
７６  搬送路
８０  光源ユニット
８１，８２  発光素子
８５  導光体
８６  受光面
８６ａ，８６ｂ  集光部
８７，８８  光反射面
８９  出光面
９０  受光素子
Ｓ    基準面
Ｗ    被検査物
【図１】
2014224702.tif 000004
【図２】
2014224702.tif 000005
【図３】
2014224702.tif 000006
【図４】
2014224702.tif 000007
【図５】
2014224702.tif 000008
【図６】
2014224702.tif 000009
【図７】
2014224702.tif 000010
【図８】
2014224702.tif 000011
【図９】
2014224702.tif 000012